(57)【要約】【課題】複数の情報の間で、その情報に対する処理の実行要求に応じてその処理を実行するか否かを示す権限情報を連携することができるプログラム及び情報処理装置を提供する。【解決手段】権限情報変更要求受付部３６ａが、第１の情報に対する処理の実行要求に応じて当該処理を実行するか否かを示す第１の権限情報を変更する要求である権限情報変更要求を受け付ける。処理実行部３８が、権限情報変更要求に応じて、第１の情報に関連付けられている第２の情報に対する処理の実行要求に応じてその処理を実行するか否かを示す第２の権限情報を変更する処理、又は、第２の権限情報に基づく処理を実行する。【選択図】図３
2010282527.tif 000002
【特許請求の範囲】
【請求項１】
第１の情報に対する処理の実行要求に応じて当該処理を実行するか否かを示す第１の権限情報を変更する要求である権限情報変更要求を受け付ける権限情報変更要求受付手段、
前記権限情報変更要求に応じて、前記第１の情報に関連付けられている第２の情報に対する処理の実行要求に応じて当該処理を実行するか否かを示す第２の権限情報を変更する処理を実行する処理実行手段、
としてコンピュータを機能させることを特徴とするプログラム。
【請求項２】
前記処理実行手段が、前記権限情報変更要求に応じて、前記第１の権限情報及び前記第２の権限情報を変更する処理を実行する、
ことを特徴とする請求項１に記載のプログラム。
【請求項３】
前記処理実行手段が、前記権限情報変更要求に基づく変更後の前記第１の権限情報に対応するよう、前記第２の権限情報を変更する処理を実行する、
ことを特徴とする請求項１又は２に記載のプログラム。
【請求項４】
第１の情報に対する処理の実行要求に応じて当該処理を実行するか否かを示す第１の権限情報を変更する要求である権限情報変更要求を受け付ける権限情報変更要求受付手段、
前記権限情報変更要求に応じて、前記第１の情報に関連付けられている第２の情報に対する処理の実行要求に応じて当該処理を実行するか否かを示す第２の権限情報に基づく処理を実行する処理実行手段、
としてコンピュータを機能させることを特徴とするプログラム。
【請求項５】
前記処理実行手段が、前記第２の権限情報に対応するよう、前記第１の権限情報を変更する処理を実行する、
ことを特徴とする請求項４に記載のプログラム。
【請求項６】
前記処理実行手段が、前記権限情報変更要求に基づく変更後の前記第１の権限情報と、前記第２の権限情報と、が対応するか否かに基づく情報を出力する処理を実行する、
ことを特徴とする請求項１から５のいずれか一項に記載のプログラム。
【請求項７】
前記第１の権限情報又は前記第２の権限情報の少なくとも一方が、前記処理を実行するか否かを決定する基礎となる、当該処理の実行要求を行う利用者の条件を示す、
ことを特徴とする請求項１から６のいずれか一項に記載のプログラム。
【請求項８】
前記第１の情報と前記第２の情報とが互いに異なる処理において用いられる情報である、
ことを特徴とする請求項１から７のいずれか一項に記載のプログラム。
【請求項９】
第１の情報に対する処理の実行要求に応じて当該処理を実行するか否かを示す第１の権限情報を変更する要求である権限情報変更要求を受け付ける権限情報変更要求受付手段と、
前記権限情報変更要求に応じて、前記第１の情報に関連付けられている第２の情報に対する処理の実行要求に応じて当該処理を実行するか否かを示す第２の権限情報を変更する処理を実行する処理実行手段と、
を含むことを特徴とする情報処理装置。
【請求項１０】
第１の情報に対する処理の実行要求に応じて当該処理を実行するか否かを示す第１の権限情報を変更する要求である権限情報変更要求を受け付ける権限情報変更要求受付手段と、
前記権限情報変更要求に応じて、前記第１の情報に関連付けられている第２の情報に対する処理の実行要求に応じて当該処理を実行するか否かを示す第２の権限情報に基づく予め定められた処理を実行する処理実行手段と、
を含むことを特徴とする情報処理装置。
【発明の詳細な説明】
【技術分野】
【０００１】
本発明は、プログラム及び情報処理装置に関する。
【背景技術】
【０００２】
複数のシステムそれぞれで管理されている情報を連携する仕組みが存在する。特許文献１には、複数のグループウェアの間で情報共有を行うことができるグループウェアが開示されている。
【先行技術文献】
【特許文献】
【０００３】
【特許文献１】特開２００４−２４６５３７号公報
【発明の概要】
【発明が解決しようとする課題】
【０００４】
本発明は、互いに関連付けられている情報について、その情報に対する処理の実行要求に応じてその処理を実行するか否かを示す権限情報同士を連携することができるプログラム及び情報処理装置を提供することを目的とする。
【課題を解決するための手段】
【０００５】
請求項１に記載の発明は、プログラムであって、第１の情報に対する処理の実行要求に応じて当該処理を実行するか否かを示す第１の権限情報を変更する要求である権限情報変更要求を受け付ける権限情報変更要求受付手段、前記権限情報変更要求に応じて、前記第１の情報に関連付けられている第２の情報に対する処理の実行要求に応じて当該処理を実行するか否かを示す第２の権限情報を変更する処理を実行する処理実行手段、としてコンピュータを機能させることとしたものである。
【０００６】
請求項２に記載の発明は、請求項１に記載のプログラムであって、前記処理実行手段が、前記権限情報変更要求に応じて、前記第１の権限情報及び前記第２の権限情報を変更する処理を実行することとしたものである。
【０００７】
請求項３に記載の発明は、請求項１又は２に記載のプログラムであって、前記処理実行手段が、前記権限情報変更要求に基づく変更後の前記第１の権限情報に対応するよう、前記第２の権限情報を変更する処理を実行することとしたものである。
【０００８】
請求項４に記載の発明は、プログラムであって、第１の情報に対する処理の実行要求に応じて当該処理を実行するか否かを示す第１の権限情報を変更する要求である権限情報変更要求を受け付ける権限情報変更要求受付手段、前記権限情報変更要求に応じて、前記第１の情報に関連付けられている第２の情報に対する処理の実行要求に応じて当該処理を実行するか否かを示す第２の権限情報に基づく処理を実行する処理実行手段、としてコンピュータを機能させることとしたものである。
【０００９】
請求項５に記載の発明は、請求項４に記載のプログラムであって、前記処理実行手段が、前記第２の権限情報に対応するよう、前記第１の権限情報を変更する処理を実行することとしたものである。
【００１０】
請求項６に記載の発明は、請求項１から５のいずれか一項に記載のプログラムであって、前記処理実行手段が、前記権限情報変更要求に基づく変更後の前記第１の権限情報と、前記第２の権限情報と、が対応するか否かに基づく情報を出力する処理を実行することとしたものである。
【００１１】
請求項７に記載の発明は、請求項１から６のいずれか一項に記載のプログラムであって、前記第１の権限情報又は前記第２の権限情報の少なくとも一方が、前記処理を実行するか否かを決定する基礎となる、当該処理の実行要求を行う利用者の条件を示すこととしたものである。
【００１２】
請求項８に記載の発明は、請求項１から７のいずれか一項に記載のプログラムであって、前記第１の情報と前記第２の情報とが互いに異なる処理において用いられる情報であることとしたものである。
【００１３】
請求項９に記載の発明は、情報処理装置であって、第１の情報に対する処理の実行要求に応じて当該処理を実行するか否かを示す第１の権限情報を変更する要求である権限情報変更要求を受け付ける権限情報変更要求受付手段と、前記権限情報変更要求に応じて、前記第１の情報に関連付けられている第２の情報に対する処理の実行要求に応じて当該処理を実行するか否かを示す第２の権限情報を変更する処理を実行する処理実行手段と、を含むこととしたものである。
【００１４】
請求項１０に記載の発明は、情報処理装置であって、第１の情報に対する処理の実行要求に応じて当該処理を実行するか否かを示す第１の権限情報を変更する要求である権限情報変更要求を受け付ける権限情報変更要求受付手段と、前記権限情報変更要求に応じて、前記第１の情報に関連付けられている第２の情報に対する処理の実行要求に応じて当該処理を実行するか否かを示す第２の権限情報に基づく予め定められた処理を実行する処理実行手段と、を含むこととしたものである。
【発明の効果】
【００１５】
請求項１，４，９，１０に記載の発明によれば、互いに関連付けられている情報について、その情報に対する処理の実行要求に応じてその処理を実行するか否かを示す権限情報同士を連携することができる。
【００１６】
請求項２に記載の発明によれば、１つの権限情報に対する変更要求に応じて、２つの権限情報を変更することができる。
【００１７】
請求項３，５に記載の発明によれば、第１の権限情報と第２の権限情報とを対応させることができる。
【００１８】
請求項６に記載の発明によれば、利用者が、変更後の第１の権限情報と、第２の権限情報と、が対応するか否かを知ることができる。
【００１９】
請求項７に記載の発明によれば、実行要求を行う利用者の条件を示す権限情報同士を連携することができる。
【００２０】
請求項８に記載の発明によれば、異なる処理において用いられる、互いに関連付けられている情報について、その情報に対する処理の実行要求に応じてその処理を実行するか否かを示す権限情報同士を連携することができる。
【図面の簡単な説明】
【００２１】
【図１】本発明の一実施形態に係る情報処理システムの構成の一例を示す図である。
【図２】本発明の一実施形態に係る情報処理装置のハードウェア構成の一例を示す図である。
【図３】本発明の一実施形態に係る情報処理装置により実現される機能の一例を示す機能ブロック図である。
【図４】文書情報のデータ構造の一例を示す図である。
【図５】タスク情報のデータ構造の一例を示す図である。
【図６】タスク文書関係情報のデータ構造の一例を示す図である。
【図７】本実施形態に係る情報処理装置で行われる処理の流れの一例を示すフロー図である。
【図８】本実施形態に係る情報処理装置で行われる処理の流れの一例を示すフロー図である。
【図９】本実施形態に係る情報処理装置で行われる処理の流れの一例を示すフロー図である。
【発明を実施するための形態】
【００２２】
以下、本発明の一実施形態について図面に基づき詳細に説明する。
【００２３】
図１は、本実施形態に係る情報処理システム１０の構成の一例を示す図である。図１に例示するように、本実施形態に係る情報処理システム１０は、情報処理装置１２と、利用者端末（クライアント）１４（１４−１〜１４−ｎ）と、を含んで構成される。情報処理装置１２、利用者端末１４は、ＬＡＮやインターネット等の通信手段に接続されており、互いに通信されるようになっている。
【００２４】
図１に例示する利用者端末１４は、例えば、ＣＰＵ等の制御装置、ハードディスク等の記憶装置、ディスプレイ等の出力装置、キーボード、マウス等の入力装置、ＬＡＮカード等の通信装置を備えた公知のパーソナルコンピュータにより構成されている。
【００２５】
図２は、本実施形態に係る情報処理装置１２のハードウェア構成の一例を示す図である。図２に例示するように、本実施形態に係る情報処理装置１２は、例えば、制御部２０、記憶部２２、通信部２４、を含んでいる。これらの要素は、バスを介して接続される。制御部２０は、ＣＰＵ等のプログラム制御デバイスであり、情報処理装置１２にインストールされるプログラムに従って動作する。記憶部２２は、ＲＯＭやＲＡＭ等の記憶素子やハードディスクなどである。記憶部２２には、制御部２０によって実行されるプログラムなどが記憶される。また、記憶部２２は、制御部２０のワークメモリとしても動作する。通信部２４は、ＬＡＮカード等の通信インタフェースであり、利用者端末１４との間で情報の送受信を行う。
【００２６】
図３は、本実施形態に係る情報処理装置１２により実現される機能の一例を示す機能ブロック図である。図３に例示するように、本実施形態では、情報処理装置１２は、例えば、文書情報記憶部３０、タスク情報記憶部３２、タスク文書関係情報記憶部３４、処理実行要求受付部３６、処理実行部３８、を含むものとして機能する。そして、処理実行要求受付部３６は、権限情報変更要求受付部３６ａを含んでいる。文書情報記憶部３０、タスク情報記憶部３２、タスク文書関係情報記憶部３４は、記憶部２２を主として実現される。その他の要素は制御部２０を主として実現される。
【００２７】
これらの要素は、コンピュータである情報処理装置１２にインストールされたプログラムを、情報処理装置１２の制御部２０で実行することにより実現されている。このプログラムは、例えば、ＣＤ−ＲＯＭ、ＤＶＤ−ＲＯＭなどのコンピュータ可読な情報伝達媒体を介して、あるいは、インターネットなどの通信手段を介して情報処理装置１２に供給される。
【００２８】
文書情報記憶部３０は、本実施形態では、例えば、図４に例示する文書情報４０を記憶する。図４は、文書情報４０のデータ構造の一例を示す図である。図４に例示するように、文書情報４０は、例えば、文書情報４０の識別子である文書情報識別子（文書情報ＩＤ）４２、文書情報４０について、情報処理装置１２の各利用者が現在付与されている権限を示す現在文書権限情報４４、文書の状態を示す（本実施形態では、「未公開」又は「公開」の値を示す）文書状態情報４６、文書の状態が「未公開」である場合に設定されるべき上述の権限を示す未公開時文書権限情報４８、文書の状態が「公開」である場合に設定されるべき上述の権限を示す公開時文書権限情報５０、文書の内容を示す文書内容情報５２、を含む。
【００２９】
タスク情報記憶部３２は、本実施形態では、例えば、図５に例示するタスク情報５４を記憶する。図５は、タスク情報５４のデータ構造の一例を示す図である。タスク情報５４は、例えば、一連の作業（以下、タスクと呼ぶ。）の過程で生成される情報を示している。タスク情報５４は、具体的には、例えば、成果物（例えば、文書情報４０）を作成する過程で行われる電子掲示板を用いた一連の議論を示す情報（例えば、文書情報４０に関して電子掲示板に書き込まれた情報）である。そして、図５に例示するように、タスク情報５４は、本実施形態では、例えば、タスク情報５４の識別子であるタスク情報識別子（タスク情報ＩＤ）５６と、このタスク情報５４に現在付与されている権限を示す現在タスク権限情報５８と、電子掲示板における投稿記事（例えば、電子掲示板における発言）に対応する少なくとも１つの投稿記事情報６０と、を含んでいる。投稿記事情報６０は、個々の投稿記事や発言に対応する。そして、投稿記事情報６０は、本実施形態では、例えば、電子掲示板に書き込まれた投稿記事（例えば、電子掲示板における発言）の識別子である投稿記事識別子（投稿記事ＩＤ）６０ａ、投稿した利用者を示す投稿者情報６０ｂ、投稿記事の内容を示す投稿記事内容情報６０ｃ、を含む。
【００３０】
タスク文書関係情報記憶部３４は、図６に例示する、タスク情報５４と文書情報４０との関係を示すタスク文書関係情報６２を記憶する。図６はタスク文書関係情報６２のデータ構造の一例を示す図である。図６に例示するように、タスク文書関係情報６２は、タスク情報識別子（タスク情報ＩＤ）５６と、文書情報識別子（文書情報ＩＤ）４２と、を含んでいる。このように、本実施形態では、タスク情報５４と文書情報４０とは関連付けられている。
【００３１】
処理実行要求受付部３６は、利用者から、文書情報４０や、タスク情報５４や、タスク文書関係情報６２などの情報に対する処理の実行要求を受け付ける。処理実行要求受付部３６は、本実施形態では、例えば、利用者端末１４から送信される処理の実行要求を受信する。
【００３２】
処理実行部３８は、処理実行要求受付部３６が受け付ける処理の実行要求に応じた処理を実行する。処理実行部３８は、例えば、文書情報４０や、タスク情報５４や、タスク文書関係情報６２の生成処理、変更処理、削除処理などを実行する。このように、本実施形態に係る情報処理装置１２は、文書管理装置としても、タスク管理装置（電子掲示板管理装置）としても機能する。
【００３３】
また、本実施形態では、処理実行要求受付部３６は、例えば、利用者から文書情報４０の出力要求を受け付ける。この出力要求は、例えば、利用者の識別子に関連付けられている。そして、処理実行部３８は、出力要求に関連付けられている利用者の識別子に基づいて出力要求の要求元の利用者を特定する。そして、処理実行部３８は、出力要求の対象である文書情報４０に含まれる現在文書権限情報４４に基づいて、出力要求に応じるか否かを判断する。そして、処理実行部３８は、出力要求に応じると判断した場合は、文書情報４０を利用者端末１４に出力する。そして、利用者端末１４が備える制御装置は、文書情報４０に含まれる文書内容情報５２を利用者端末１４が備えるディスプレイなどの出力装置に表示出力する。
【００３４】
処理実行部３８は、具体的には、例えば、文書情報４０に含まれる現在文書権限情報４４が利用者Ａに対する読み取り権限（例えば、利用者Ａに対して読み取り権限が付与されていること）を示している際に、この文書情報４０の出力要求を、利用者Ａから受け付けた場合には、この文書情報４０を出力して、他の利用者から受け付けた場合には、この文書情報４０の出力を拒否することを示す旨を出力する。なお、現在文書権限情報４４が、文書情報４０の生成権限や更新権限や削除権限などを示していてもよい。このように、本実施形態では、処理実行部３８は、例えば、文書情報４０に対して処理を実行する際に、その文書情報４０に含まれる現在文書権限情報４４が示す権限に従って処理を実行する。すなわち、現在文書権限情報４４は、文書情報４０に対する処理の実行要求に応じて、その処理を実行するか否かを示している。本実施形態では、現在文書権限情報４４は、例えば、処理の実行が許可又は禁止される利用者の条件を示している。そして、未公開時文書権限情報４８は、文書状態情報４６が「未公開」の値を示す際に現在文書権限情報４４に設定されるべき権限を示している。公開時文書権限情報５０は、文書状態情報４６が「公開」の値を示す際に現在文書権限情報４４に設定されるべき権限を示している。
【００３５】
また、処理実行部３８は、本実施形態では、例えば、利用者端末１４から、利用者の識別子に関連付けられた、タスクに関連付けられた投稿記事の一覧の出力要求を受け付ける。そして、処理実行部３８は、この利用者の識別子に基づいて、出力要求の要求元の利用者を特定する。そして、処理実行部３８は、出力要求の対象である投稿記事の一覧に関連付けられるタスク情報５４に含まれる現在タスク権限情報５８に基づいて、出力要求に応じるか否かを判断する。そして、処理実行部３８は、出力要求に応じることを判断した場合は、タスクに関連付けられた投稿記事内容情報６０ｃに基づいて、投稿記事一覧画面を生成して、利用者端末１４が備えるディスプレイなどの出力装置に出力する。このように、本実施形態では、処理実行部３８は、例えば、タスク情報５４に対して処理を実行する際に、タスク情報５４に含まれる現在タスク権限情報５８が示す権限に従って処理を実行する。すなわち、現在タスク権限情報５８は、タスク情報５４に対する処理の実行要求に応じて、その処理を実行するか否かを示している。本実施形態では、現在タスク権限情報５８は、例えば、処理の実行が許可又は禁止される利用者の条件を示している。
【００３６】
処理実行部３８は、具体的には、例えば、タスク情報５４に含まれる現在タスク権限情報５８が利用者Ａ、Ｂ、及び、Ｃに対する読み取り権限の付与を示している際に、このタスク情報５４に関連付けられる投稿記事の一覧の出力要求を利用者Ａ、Ｂ、又は、Ｃから受け付けた場合に、上述の投稿記事一覧画面を出力する。そして、処理実行部３８は、例えば、上述の際に、この文書情報４０の出力要求を他の利用者から受け付けた場合には、上述の投稿記事一覧画面の出力を拒否することを示す旨を出力する。なお、現在タスク権限情報５８が、タスク情報５４の生成権限や更新権限や削除権限などを示していてもよい。
【００３７】
処理実行要求受付部３６に含まれる権限情報変更要求受付部３６ａは、本実施形態では、例えば、文書情報４０に含まれる現在文書権限情報４４を変更する要求、又は、タスク情報５４に含まれる現在タスク権限情報５８を変更する要求を利用者から受け付ける。そして、処理実行部３８は、この変更要求に応じた処理を実行する。
【００３８】
ここで、本実施形態に係る情報処理装置１２で行われる処理の流れの一例を、図７に例示するフロー図を参照しながら説明する。
【００３９】
まず、権限情報変更要求受付部３６ａが、文書情報４０に含まれる現在文書権限情報４４を変更する要求を受け付ける（Ｓ１０１）。そして、処理実行部３８は、この変更要求に応じて、現在文書権限情報４４を変更する（Ｓ１０２）。処理実行部３８は、具体的には、例えば、現在文書権限情報４４が示す権限を、利用者Ａ〜Ｆに対する読み取り権限から、利用者Ａ〜Ｇに対する読み取り権限に変更する。そして、処理実行部３８は、この文書情報４０に関連付けられているタスク情報５４を特定する（Ｓ１０３）。そして、処理実行部３８は、このタスク情報５４に含まれる現在タスク権限情報５８を、Ｓ１０２に例示する処理による変更後の現在文書権限情報４４に対応するよう変更する（Ｓ１０４）。上述の例では、処理実行部３８は、具体的には、例えば、現在タスク権限情報５８が示す権限を、利用者Ａ〜Ｇに対する読み取り権限に変更する。
【００４０】
このように、本処理例では、処理実行部３８は、現在文書権限情報４４の変更要求に応じて、この現在文書権限情報４４が含まれる文書情報４０に関連付けられているタスク情報５４に含まれる現在タスク権限情報５８を、変更する。また、本処理例では、処理実行部３８は、現在文書権限情報４４の変更要求に応じて、現在文書権限情報４４も変更する。そして、本処理例では、処理実行部３８は、変更後の現在文書権限情報４４に対応するよう現在タスク権限情報５８を変更する。
【００４１】
ここで、本実施形態に係る情報処理装置１２で行われる別の処理の流れの一例を、図８に例示するフロー図を参照しながら説明する。
【００４２】
まず、権限情報変更要求受付部３６ａが、文書情報４０に含まれる文書状態情報４６を変更する要求を受け付ける（Ｓ２０１）。そして、処理実行部３８は、この変更要求に応じて、文書状態情報４６を変更する（Ｓ２０２）。処理実行部３８は、例えば、文書状態情報４６の値を「公開」又は「未公開」に変更する。そして、処理実行部３８は、変更後の文書状態情報４６の値に基づいて、この文書情報４０に含まれる現在文書権限情報４４を変更する（Ｓ２０３）。処理実行部３８は、例えば、文書状態情報４６の値が「未公開」に変更される際には、未公開時文書権限情報４８が示す権限（例えば、利用者Ａに対する読み取り権限）を現在文書権限情報４４に設定する。また、処理実行部３８は、例えば、文書状態情報４６の値が「公開」に変更される際には、公開時文書権限情報５０が示す権限（例えば、利用者Ａ〜Ｆに対する読み取り権限）を現在文書権限情報４４に設定する。そして、処理実行部３８は、この文書情報４０に関連付けられているタスク情報５４を特定する（Ｓ２０４）。そして、処理実行部３８は、このタスク情報５４に含まれる現在タスク権限情報５８を、Ｓ２０３に例示する処理による変更後の現在文書権限情報４４に対応するよう変更する（Ｓ２０５）。処理実行部３８は、具体的には、例えば、現在タスク権限情報５８が、利用者Ａ〜Ｃに対して読み取り権限を示していた場合には、この現在タスク権限情報５８が示す権限を、利用者Ａ〜Ｆに対する読み取り権限に変更する。
【００４３】
本処理例では、処理実行部３８は、文書情報４０に含まれる文書状態情報４６の変更要求に応じて、この文書情報４０に関連付けられているタスク情報５４に含まれる現在タスク権限情報５８を変更する。
【００４４】
なお、処理実行部３８は、文書情報４０に含まれる現在文書権限情報４４や文書状態情報４６の変更要求に応じて、この文書情報４０に関連付けられているタスク情報５４に含まれる現在タスク権限情報５８に基づく処理を実行してもよい。この場合での、本実施形態に係る情報処理装置１２で行われる処理の流れの一例を、図９に例示するフロー図を参照しながら説明する。
【００４５】
まず、権限情報変更要求受付部３６ａが、文書情報４０に含まれる文書状態情報４６を変更する要求を受け付ける（Ｓ３０１）。そして、処理実行部３８は、この変更要求に応じて、文書状態情報４６を変更する（Ｓ３０２）。処理実行部３８は、例えば、文書状態情報４６の値を「公開」又は「未公開」に変更する。そして、処理実行部３８は、この文書情報４０に関連付けられているタスク情報５４を特定する（Ｓ３０３）。そして、処理実行部３８は、このタスク情報５４に含まれる現在タスク権限情報５８が示す権限を特定する（Ｓ３０４）。そして、処理実行部３８は、Ｓ３０４に例示する処理により特定される権限に基づいて、Ｓ３０１に例示する処理で変更要求を受け付けた文書情報４０に含まれる現在文書権限情報４４を変更する（Ｓ３０５）。処理実行部３８は、具体的には、例えば、現在タスク権限情報５８が、利用者Ａ〜Ｆに対する読み取り権限を示している場合に、現在文書権限情報４４が示す権限を利用者Ａ〜Ｆに読み取り権限に変更する。
【００４６】
なお、上述の処理例のＳ３０５に例示する処理において、処理実行部３８は、上述のＳ２０３に例示する処理と同様の処理により、変更後の文書状態情報４６の値に基づいて、この文書情報４０に含まれる現在文書権限情報４４を変更してもよい。そして、処理実行部３８は、変更後の文書状態情報４６の値に基づく現在文書権限情報４４が示す権限と、Ｓ３０４に例示する処理で特定される現在タスク権限情報５８が示す権限と、が対応しない場合に（例えば、読み取り権限が付与されている利用者が異なる（例えば、一致していない）場合に）、その旨を示す情報（例えば、警告画面）を利用者端末１４が備えるディスプレイに出力するようにしてもよい。このように、処理実行部３８は、変更後の現在文書権限情報４４と、Ｓ３０４に例示する処理で特定される現在タスク権限情報５８と、が対応するか否かに基づく情報を出力する処理（例えば、警告画面の出力処理）を実行するようにしてもよい。
【００４７】
なお、本発明は上記実施形態に限定されるものではない。
【００４８】
例えば、文書情報記憶部３０や、タスク情報記憶部３２や、タスク文書関係情報記憶部３４が、ＬＡＮなどの通信手段を介して接続される情報処理装置１２外の記憶装置に含まれていてもよい。
【００４９】
また、情報処理装置１２が１つの筐体により構成されていても、複数の筐体により構成されていてもよい。また、上記実施形態では、情報処理装置１２が、文書管理装置としてもタスク管理装置（電子掲示板管理装置）としても機能していたが、文書管理装置として機能する情報処理装置１２と、タスク管理装置（電子掲示板管理装置）として機能する情報処理装置１２と、が異なる筐体により構成されていてもよい。また、上述の現在文書権限情報４４と現在タスク権限情報５８との連携処理を、文書管理装置として機能する情報処理装置１２とも、タスク管理装置（電子掲示板管理装置）として機能する情報処理装置１２とも異なる、さらに別の情報処理装置１２により実現してもよい。
【００５０】
また、上記実施形態では、文書情報４０とタスク情報５４との連携の例を示したが、例えば、一般的な、権限を示す情報に関連付けられている情報（例えば、互いに異なる処理において用いられる情報）同士の連携に上記実施形態を応用してもよい。
【符号の説明】
【００５１】
１０  情報処理システム、１２  情報処理装置、１４  利用者端末（クライアント）、２０  制御部、２２  記憶部、２４  通信部、３０  文書情報記憶部、３２  タスク情報記憶部、３４  タスク文書関係情報記憶部、３６  処理実行要求受付部、３６ａ  権限情報変更要求受付部、３８  処理実行部、４０  文書情報、４２  文書情報識別子（文書情報ＩＤ）、４４  現在文書権限情報、４６  文書状態情報、４８  未公開時文書権限情報、５０  公開時文書権限情報、５２  文書内容情報、５４  タスク情報、５６  タスク情報識別子（タスク情報ＩＤ）、５８  現在タスク権限情報、６０  投稿記事情報、６０ａ  投稿記事識別子（投稿記事ＩＤ）、６０ｂ  投稿者情報、６０ｃ  投稿記事内容情報、６２  タスク文書関係情報。
【図１】
2010282527.tif 000003
【図２】
2010282527.tif 000004
【図３】
2010282527.tif 000005
【図４】
2010282527.tif 000006
【図５】
2010282527.tif 000007
【図６】
2010282527.tif 000008
【図７】
2010282527.tif 000009
【図８】
2010282527.tif 000010
【図９】
2010282527.tif 000011